(57)【要約】【課題】ガイドワイヤーを容易に着脱し得る横型ブラインドのガイドワイヤー緊張装置を提供する。【解決手段】取付面に固定されるヘッドボックス１からスラット３及びボトムレール４を吊下支持し、スラット３およびボトムレール４の両端部にガイドワイヤー６を挿通し、該ガイドワイヤー６に沿ってスラット３及びボトムレール４を昇降可能とした横型ブラインドにおいて、ガイドワイヤー６を緊張する第一の状態と、該緊張状態を解除する第二の状態を選択可能とする緊張装置７を備えた。【選択図】図１
2008019634.tif 000002
【特許請求の範囲】
【請求項１】
取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、
前記ガイドワイヤーを緊張する第一の状態と、該緊張状態を解除する第二の状態を選択可能とする緊張装置を備えたことを特徴とする横型ブラインドのガイドワイヤー緊張装置。
【請求項２】
取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、
前記ガイドワイヤーの下端に取着したフック部材と、
前記横型ブラインドの設置空間の下地に固定され、前記フック部材に係合して、前記ガイドワイヤーを付勢手段の付勢力で緊張する第一の状態と、前記フック部材との係合を解除する第二の状態とを選択可能としたロック装置と
を備え、
前記ロック装置は、操作部材の回動操作に基づいて前記第一の状態と第二の状態とを選択可能としたことを特徴とする横型ブラインドのガイドワイヤー緊張装置。
【請求項３】
取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、
前記ガイドワイヤーの下端に吊下支持した錘と、
前記横型ブラインドの設置空間の下地に固定され、前記錘を保持して該錘の揺動を阻止する錘受けと
を備え、
前記錘受けを、前記錘を上方から挿入可能とする筒状に形成したことを特徴とする横型ブラインドのガイドワイヤー緊張装置。
【発明の詳細な説明】
【技術分野】
【０００１】
この発明は、横型ブラインドのスラット及びボトムレールの揺動を防止するガイドワイヤーの緊張装置に関するものである。
【背景技術】
【０００２】
ビルディングの外壁部分において、十分な採光性と防音性及び断熱性を確保するために、二重ガラス構造の断熱空間を形成し、その断熱空間内に横型ブラインドを設置する構成としたものがある。
【０００３】
断熱空間内に設置された横型ブラインドは、その揺動による窓ガラスとの衝突を防止するために、スラット及びボトムレールの両端部にガイドワイヤーが貫通され、そのガイドワイヤーは横型ブラインドのヘッドボックスと断熱空間の下地との間で緊張される。
【０００４】
また、断熱空間には同断熱空間の換気を行って断熱効果を向上させるために、換気口が所定間隔毎に設けられ、例えば季節毎に作業者が断熱空間内に入って換気口を開閉操作している。
【０００５】
このような構成により、断熱空間による断熱性、防音性と、横型ブラインドによる採光量の調節あるいは窓面の遮蔽を可能とした外壁が構成される。
特許文献１には、換気用フィルムを押さえるベルト部材を長さ調節可能に保持する構成が開示されている。
【０００６】
特許文献２には、シャッターの側端部を支持するワイヤーを緊張するためのターンバックルが開示されている。
特許文献３には、横型ブラインドのスラットおよびボトムレールの両端部を支持するガイドワイヤー支持構造が開示されている。
【０００７】
特許文献４には、横型ブラインドのスラットの振れ止めコードを緊張するばねが開示されている。
特許文献５には、横型ブラインドのスラットおよびボトムレールの両端部を支持するガイドワイヤー固定装置が開示されている。
【特許文献１】特開２００５−１３１７７号公報
【特許文献２】特開平４−１６６５９１号公報
【特許文献３】実開昭６０−１５５９６号公報
【特許文献４】実公昭６０−２２２３９号公報
【特許文献５】実公平３−２８７１６号公報
【発明の開示】
【発明が解決しようとする課題】
【０００８】
上記のように、断熱空間内に横型ブラインドが吊下支持された構成では、各換気口の開閉操作を手動で行うために、作業者が断熱空間内を移動しようとすると、ガイドワイヤーが障害となる。
【０００９】
すなわち、前記断熱空間は二重ガラスの間隔が例えば５０ｃｍ程度であり、その中間位置に横型ブラインドが吊下支持され、かつガイドワイヤーが張設されている。従って、作業者が断熱空間内を移動しようとすれば、スラット及びボトムレールを上方へ引き上げ、かつガイドワイヤーの下端を下地から取り外す必要があるため、その作業が煩雑である。
【００１０】
特許文献１〜５には、横型ブラインドのスラット及びボトムレールを保持するガイドワイヤー等を緊張する構成は開示されているが、ガイドワイヤーを容易に着脱する構成は開示されていない。
【００１１】
この発明の目的は、ガイドワイヤーを容易に着脱し得る横型ブラインドのガイドワイヤー緊張装置を提供することにある。
【課題を解決するための手段】
【００１２】
請求項１では、取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、前記ガイドワイヤーを緊張する状態と、該緊張状態を解除する状態を選択可能とする緊張装置を備えた。
【００１３】
請求項２では、取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、前記ガイドワイヤーの下端に取着したフック部材と、前記横型ブラインドの設置空間の下地に固定され、前記フック部材に係合して、前記ガイドワイヤーをコイルスプリングの付勢力で緊張する第一の状態と、前記フック部材との係合を解除する第二の状態とを選択可能としたロック装置とを備え、前記ロック装置は、操作部材の回動操作に基づいて前記第一の状態と第二の状態とを選択可能とした。
【００１４】
請求項３では、取付面に固定されるヘッドボックスからスラット及びボトムレールを吊下支持し、前記スラットおよびボトムレールの両端部にガイドワイヤーを挿通し、該ガイドワイヤーに沿って前記スラット及びボトムレールを昇降可能とした横型ブラインドにおいて、前記ガイドワイヤーの下端に吊下支持した錘と、前記横型ブラインドの設置空間の下地に固定され、前記錘を保持して該錘の揺動を阻止する錘受けとを備え、前記錘受けを、前記錘を上方から挿入可能とする筒状に形成した。
【発明の効果】
【００１５】
本発明によれば、ガイドワイヤーを容易に着脱し得る横型ブラインドのガイドワイヤー緊張装置を提供することができる。
【発明を実施するための最良の形態】
【００１６】
（第一の実施の形態）
以下、この発明を具体化した第一の実施の形態を図面に従って説明する。この実施の形態の横型ブラインドは、ビルの外壁部に形成された二重ガラス構造の断熱空間内に配設されるものであり、ヘッドボックス１は断熱空間の天井部に固定される。
【００１７】
前記ヘッドボックス１には多数段のスラット３が複数本のラダーコード２を介して吊下支持され、ラダーコード２の下端にボトムレール４が取着されている。
前記スラット３の両側部におけるラダーコード２支持部近傍には昇降テープ５が挿通され、その昇降テープ５の下端は前記ボトムレール４に接続され、上端部は前記ヘッドボックス１内の昇降テープ巻取り装置に巻着されている。
【００１８】
前記ヘッドボックス１内にはモーターが配設され、そのモーターの作動により昇降テープ巻取り装置で昇降テープが巻き取られると、ボトムレール４が引き上げられて、下段のスラット３から順次引き上げられる。また、昇降テープ巻取り装置から昇降テープ５が巻戻されると、ボトムレール４が下降して、上段のスラット３から順次ラダーコード２に支持される状態に復帰する。
【００１９】
前記スラット３及びボトムレール４の両端部にはガイドワイヤー６がそれぞれ挿通され、そのガイドワイヤー６の上端はヘッドボックス１に取着され、下端は緊張装置７を介して断熱空間の下地８に取着されている。そして、ガイドワイヤー６は緊張装置７によりヘッドボックス１と下地８との間で緊張され、前記スラット３及びボトムレール４はガイドワイヤー６に沿って昇降する。従って、スラット３及びボトムレール４はガイドレール６に支持されて、その揺動が防止されている。
【００２０】
前記緊張装置７の具体的構成を説明する。図１及び図２に示すように、前記ガイドワイヤー６の下端にはフック部材９が取着されている。前記下地８上にはアングル状の取付部材１０が固定され、その取付部材１０にロック装置１１が固定されている。
【００２１】
前記ロック装置１１は、図５に示すように、ベース部材１１ａが前記取付部材１０に固定され、そのベース部材１１ａの上端部に操作部材１２の基端部が回動可能に支持されている。
【００２２】
前記操作部材１２は、その両側部が同方向に直角に屈曲されて側辺１３が形成され、その側辺１３間に支持された支軸１４の両端に一対の伸縮アーム１５ａ，１５ｂの一端がそれぞれ回動可能に支持されている。
【００２３】
図３及び図４に示すように、前記伸縮アーム１５ａ，１５ｂは線対称状に形成される点を除いて同一構成であるので、伸縮アーム１５ａについてその構造を説明する。
伸縮アーム１５ａは第一のアーム部材１６、第二のアーム部材１７及びコイルスプリング（付勢手段）１８とで構成される。第一及び第二のアーム部材１６，１７はその基端部に前記コイルスプリング１８に係合する鍔部１６ａ，１７ａがそれぞれ形成され、先端部が前記コイルスプリング１８に互い違いとなるように挿通されている。そして、第一のアーム部材１６の先端が前記支軸１４に回動可能に支持され、第二のアーム部材１７の先端が掛止め軸１９の端部に回動可能に支持されている。
【００２４】
このような構成により、コイルスプリング１８は第一及び第二のアーム部材１６，１７の鍔部１６ａ，１７ａ間に保持され、前記支軸１４と掛止め軸１９との距離が増大するとき、コイルスプリング１８が圧縮されるようになっている。
【００２５】
前記操作部材１２の先端部には、指掛け２０が設けられている。そして、指掛け２０の操作により、操作部材１２を図５に示す状態から図６に示す状態までの範囲で回動可能となっている。
【００２６】
上記のような緊張装置７は、図５に示すように、取付部材１０を支点として操作部材１２を上方へ回動させると、掛止め軸１９がフック部材９を掛装可能となる位置まで上昇する。
【００２７】
この状態で、掛止め軸１９にフック部材９を掛止めし、図６に示すように、操作部材１２を下方へ回動させると、掛止め軸１９と支軸１４との間隔が増大し、コイルスプリング１８が鍔部１６ａ，１７ａ間で圧縮され、そのコイルスプリング１８の付勢力によりガイドワイヤー６が緊張される（第一の状態）。このとき、操作部材１２の回動支点は、図６において掛止め軸１９と支軸１４の中心を結ぶ線より左側に位置するので、操作部材１２はコイルスプリング１８の付勢力により同図に示す状態に保持される。
【００２８】
一方、コイルスプリング１８の付勢力に抗して操作部材１２を上方へ回動させ、操作部材１２の回動支点が図６において掛止め軸１９と支軸１４の中心を結ぶ線より右方へ移動すれば、コイルスプリング１８の付勢力により操作部材１２が上方へ回動され、フック部材９を掛止め軸１９から取り外し可能となる（第二の状態）。
【００２９】
上記のような緊張装置７を備えた横型ブラインドでは、次に示す作用効果を得ることができる。
（１）ガイドワイヤー６をヘッドボックス１と下地８との間で緊張することにより、スラット３及びボトムレール４をガイドワイヤー６に沿って昇降することができる。従って、断熱空間内でのスラット３及びボトムレール４の揺動を防止することができる。
（２）断熱空間内の換気口の操作等のために、作業者が断熱空間内を移動する場合には、スラット３及びボトムレール４を上方へ引き上げた状態で操作部材１２を上方へ回動すれば、フック部材９をロック装置１１から取り外すことができる。この状態では、ガイドワイヤー６がヘッドボックス１から垂下された状態となるため、作業者はガイドワイヤー６を押しのけて回避しながら断熱空間内を容易に移動することができる。
（３）フック部材９を掛止め軸１９に掛装し、操作部材１２を下方へ回動することにより、ガイドワイヤー６をヘッドボックス１と下地８との間に緊張することができる。
（第二の実施の形態）
図７及び図８は、第二の実施の形態を示す。この実施の形態は、ガイドワイヤー６の下端に取着した錘２１と、断熱空間の下地上で錘２１を着脱可能に保持する錘受け２４とで緊張装置を構成したものである。上記第一の実施の形態と同一構成部分は同一符号を付して説明する。
【００３０】
ガイドワイヤー６の下端には円柱状の錘２１が取着されている。すなわち、錘２１の中心部にはガイドワイヤー６を挿通するための挿通孔２２が形成され、その挿通孔２２にガイドワイヤー６の下端部が挿通され、錘２１を貫通したガイドワイヤー６の端部にワイヤーグリップ２３が固着されて、錘２１に対する抜け止めとなっている。このような構成により、ガイドワイヤー６の下端に錘２１が吊下支持されている。
【００３１】
前記錘２１の吊下位置の下方において、前記下地８には錘受け２４が取着されている。この錘受け２４は、上方を開口した円筒状に形成され、上方から前記錘２１を挿入可能となっている。そして、錘２１を錘受け２４内に挿入すれば、錘２１は錘受け２４で揺動不能に保持された状態でヘッドボックス１から吊下支持され、錘２１の重量に基づいてガイドワイヤー６が緊張される。その他の構成は、第一の実施の形態と同様である。
【００３２】
このように構成された横型ブラインドでは、錘２１が錘受け２４に保持されている状態では、スラット３及びボトムレール４がガイドワイヤー６により揺動不能に支持され、ガイドワイヤー６に沿って昇降される。
【００３３】
また、スラット３及びボトムレール４を引き上げた状態で、図８に示すように、錘２１を持ち上げて錘受け２４から外せば、作業者はガイドワイヤー６を押しのけて回避しながら断熱空間内を容易に移動することができる。従って、第一の実施の形態の緊張装置と同様な作用効果を得ることができる。
【００３４】
上記実施の形態は、以下の態様で実施してもよい。
・第一及び第二の実施の形態において、ガイドワイヤー６の上端部は、ヘッドボックス１を貫通して、断熱空間の天井面に固定してもよい。
・第二の実施の形態において、錘を円柱状以外の形状とし、錘受けは錘を上方から挿入可能とする形状としてもよい。
【図面の簡単な説明】
【００３５】
【図１】第一の実施の形態のガイドワイヤー緊張装置を示す正面図である。
【図２】緊張装置を示す側面図である。
【図３】ロック装置を示す側面図である。
【図４】ロック装置を示す正面図である。
【図５】第一の実施の形態の緊張装置の動作を示す正面図である。
【図６】第一の実施の形態の緊張装置の動作を示す正面図である。
【図７】第二の実施の形態のガイドワイヤー緊張装置を示す正面図である。
【図８】第二の実施の形態の緊張装置の動作を示す正面図である。
【符号の説明】
【００３６】
１…ヘッドボックス、３…スラット、４…ボトムレール、６…ガイドワイヤー、７…緊張装置、８…下地、９…フック部材、１１…ロック装置、１２…操作部材、１８…付勢手段（コイルスプリング）、２１…錘、２４…錘受け。
【図１】
2008019634.tif 000003
【図２】
2008019634.tif 000004
【図３】
2008019634.tif 000005
【図４】
2008019634.tif 000006
【図５】
2008019634.tif 000007
【図６】
2008019634.tif 000008
【図７】
2008019634.tif 000009
【図８】
2008019634.tif 000010